(57)【要約】【課題】スライドシュー式仕分けコンベアにおけるスライドシューが物品に衝突する際に物品が傾斜するなどの不安定状態を低減し、システムにおける稼働効率を向上させること。【解決方法】スライドシュー構造部に傾斜突起を設けることで、物品に掛かる力と逆方向の力で与振を与えることで、スライドシューが当接する際の衝撃力を緩和することで、物品の安定を確保し全体稼働効率を向上することができる。【選択図】図９Ｃ
2018144960.tif 000002
【特許請求の範囲】
【請求項１】
物品の搬送方向と直角方向に延伸した複数のスラットを物品の搬送方向に連結し、物品を積載して搬送するスラットコンベア上をスラットの搬送方向と直角方向にスライド可能なスライドシューを用いたスライドシュー式仕分けコンベアにおけるスライドシューにおいて、
前記スライドシューは前記スラット部の外径部を摺動ガイドとすると同時に、複数のスラットが搬送方向に移動する際に、必要な分岐箇所においては前記スライドシューが搬送方向と直角方向に一定速度で移動する手段を有する構造と、
前記スライドシューの押出し面が前記物品に当接する前に、前記スライドシューの前記物品に当接する１箇所もしくは複数個所のスライドシュー側面の前記押出し面の低位置部に構成する傾斜部の少なくとも先端底面部が前記スラット表面に接するかほぼ接する状態で構成される傾斜部と、
前記傾斜部により前記物品が与振を付与された後に前記押出し面に当接する順列で構成されることで、前記押出し面に当接して生じる衝撃による傾斜量を緩和することを特徴とした分岐装置用スライドシュー構造。
【請求項２】
前記傾斜部は、一定角度の勾配に沿った形状、もしくは上下のいずれかに凸状の曲線を有することを特徴とした前記請求項１に記載の分岐装置用スライドシュー構造。
【請求項３】
前記傾斜部の前記押出し面は、前記スライドシューの垂直面より前記傾斜部の傾斜角とほぼ同程度の角度で前記傾斜部側に傾斜した面を有することを特徴とした前記請求項１または請求項２に記載の分岐装置用スライドシュー構造。
【請求項４】
前記傾斜部の全領域もしくは一部に前記物品の進行方向に傾斜した突起傾斜部を有したことを特徴とした前記請求項１または請求項２に記載の分岐装置用スライドシュー構造。
【請求項５】
前記傾斜部の上方部に弾性体傾斜部を有したことを特徴とした前記請求項１または請求項２に記載の分岐装置用スライドシュー構造。
【発明の詳細な説明】
【技術分野】
【０００１】
本発明は、搬送装置において物品を搬送方向とは別方向に仕分ける分岐装置に用いられるスライドシュー構造に関する。
【背景技術】
【０００２】
分岐装置におけるスライドシューに関しては、例えば特許文献１に記載される構造が一般的に知られる構造である。特許文献１においては、スラットに跨る形でスライドする押圧シューの進行方向の正面部とやや傾斜を有した方向に押圧するための直交用押圧面と斜交用押圧面が描かれている。何れの面もスラット面に対して垂直方向に立ち上がった側面に物品を当接しながら移動させるものである。
【０００３】
更に、特許文献２においては簡素化した可動シューの構造として、スラットに跨るようにスライドする可動シューの進行方向の正面部とやや傾斜を有した側面に第１押し面と第２押し面として描かれている。ここにおいても、何れの面はスラット面に対して垂直方向に立ち上がった側面に物品を当接しながら移動させる構造となっている。
【０００４】
更に、特許文献３においては静音化を実現するスライドシューとして記載される押出し体が描かれている。ここにおいても押出し面の形状は、スラットとして記載される搬送体の表面に対して垂直方向に立ち上がった側面に物品を当接しながら移動させる構造となっている。
【０００５】
上記の如く、分岐装置におけるスライドシューが物品に当接する面はスラット面に対して垂直方向に立ち上がった面を有しているものが一般的な構造となっている。
【先行技術文献】
【特許文献】
【０００６】
【特許文献１】特開平１１−１５７６４３号公報
【特許文献２】特開２０００−１１８６９９号公報
【特許文献３】特開２００２−２７４６３８号公報
【発明の概要】
【発明が解決しようとする課題】
【０００７】
ここに、特許文献１乃至特許文献３にも記載される分岐装置におけるスライドシューは、分岐動作の領域で迅速に物品を所定の位置にシフトさせるために、小型且つ軽量であることが必要となるので、搬送される物品の高さに対し低位置部に当接することになる。
【０００８】
一方、搬送される物品は均一ケースなどを使用する場合もあるが、大きさ、形状、重量とも様々な形態を想定する必要がある。また、均一ケースを用いる場合でも収納される物品によっては、重量および重心の位置などは多様な状態が想定される。
【０００９】
特に、スライドシューが背の高い物品の低位置部に当接する場合に、物品が傾斜したり揺れたりすることで、不安定な状態のまま移動することになり、場合によっては転倒する可能性もある。物品が不安定な状態で移動すると、搬送方向の前後に位置する別の物品に対する影響が考えられ、場合によっては不安定状態を予測して物品間の間隔を大きく取るか、もしくはスライドシューの速度を低減するなどが必要となるなど、全体の稼働効率低下につながり兼ねない。また、物品が転倒した場合は人による操作が伴うなどで、更に全体効率を悪化される要因にもなる。自動化を前提とした搬送装置において、正確で高速な搬送が望まれる中で、従来以上にそれらの課題解決が望まれている。
【００１０】
本願発明は上記の課題点を解決し、スムーズな物品の移動を行うことで、搬送装置の稼働における不安定要素を低減し、効率的な搬送を行うことを目的としている。
【課題を解決するための手段】
【００１１】
上記課題を解決するために、請求項１に記載の通り、物品の搬送方向と直角方向に延伸した複数のスラットを物品の搬送方向に連結し、物品を積載して搬送するスラットコンベア上をスラットの搬送方向と直角方向にスライド可能なスライドシューを用いたスライドシュー式仕分けコンベアにおけるスライドシューにおいて、前記スライドシューは前記スラット部の外径部を摺動ガイドとすると同時に、複数のスラットが搬送方向に移動する際に、必要な分岐箇所においては前記スライドシューが搬送方向と直角方向に一定速度で移動する手段を有する構造と、前記スライドシューの押出し面が前記物品に当接する前に、前記スライドシューの前記物品に当接する１箇所もしくは複数個所のスライドシュー側面の前記押出し面の低位置部に構成する傾斜部の少なくとも先端底面部が前記スラット表面に接するかほぼ接する状態で構成される傾斜部と、前記傾斜部により前記物品が与振を付与された後に前記押出し面に当接する順列で構成されることで、事前に付与された与振により相殺されることになり、押出し面に当接して生じる衝撃による傾斜量を緩和することを可能としている。
【００１２】
また、請求項２に記載の通り、前記傾斜部は、一定角度の勾配に沿った形状、もしくは上下のいずれかに凸状の曲線を有することで、前記与振量を大きくした分だけ衝撃力の緩和量を大きくすることを可能としている。
【００１３】
更に請求項３に記載の通り、前記傾斜部の前記押出し面は、前記スライドシューの垂直面より前記傾斜部の傾斜角とほぼ同程度の角度で前記傾斜部側に傾斜した面を有することで、前記スライドシューの上方部の傾斜面が前記物品の表面に食い込む状態で当接する力が抵抗力になり、前記物品の振れ幅を低減することを可能としている。
【００１４】
更に請求項４に記載の通り、前記傾斜部の全領域もしくは一部に前記物品の進行方向に傾斜した突起傾斜部を有することで、前記傾斜部の前記物品の進行方向と逆方向に対する摩擦抵抗力が異なることで、前記物品が押出し面に当接する際に、物品が挟み込まれる力が加わることで、前記物品の振れ幅を低減することを可能としている。
【００１５】
更に請求項５に記載の通り、前記傾斜部の上方部に弾性体傾斜部を有することで、前記物品が前記傾斜部に当接し更に移動する際に、前記弾性体傾斜部の領域において前記物品と前記傾斜部間の接触面に生じる接触摩擦力が大きくなることで前記物品の移動速度が減速され、前記押出し面に当接する瞬間の衝撃力を緩和することを可能としている。
【００１６】
なお、ここに記載した衝撃緩和のための各種構造は、個別に実施するのみでなく、複数の手法を組み合せることで、効果を上げることも可能である。
【００１７】
上記の構造により、スライドシュー式仕分けコンベアにおいて、前記物品が前記スライドシューに当接する際に生じていた前記物品の傾斜や揺れ量が低減されることで、不安定な状態のまま移動したり転倒したりする可能性が大幅に低減されるので、搬送効率の悪化を防ぐことが可能となり、搬送物品が多様化する中で、傾斜、転倒しやすい物品でも安心して仕分が可能となり、システム全体の搬送効率を高め、将来の搬送装置の高速化にも対応し得ることになる。
【図面の簡単な説明】
【００１８】
【図１】スライドシュー式仕分けコンベアの仕分部を示す斜視図。
【図２】スライドシューが物品に当接する状態を示す概念図。
【図３】スライドシューの基本構造例を示す図。
【図４】複数の押出し面を有するスライドシューの基本構造例を示す図。
【図５Ａ】スライドシューが物品に当接する前の状態図。
【図５Ｂ】スライドシューと物品の当接時に発生する力を示す図。
【図６】本案構造の原理図。
【図７】図３のスライドシューに傾斜部を設けた構造概念図。
【図８】図４のスライドシューに傾斜部を設けた構造概念図。
【図９Ａ】本案のスライドシューが物品に当接する前の状態図。
【図９Ｂ】本案のスライドシューの傾斜部が物品に当接する時に発生する力を示す図。
【図９Ｃ】本案のスライドシューの垂直面が物品に当接状する時に発生する力を示す図。
【図１０Ａ】従来構造における物品に掛かる力の推移を示すグラフ。
【図１０Ｂ】本案構造における物品に掛かる力の推移を示すグラフ。
【図１１Ａ】本案の一例を示す傾斜部の概念図。
【図１１Ｂ】本案のその他の例を示す傾斜部の概念図。
【図１１Ｃ】本案のその他の例を示す傾斜部の概念図。
【図１２Ａ】本案の一例を示す傾斜部表面の概念図。
【図１２Ｂ】本案のその他の例を示す傾斜部表面の概念図。
【発明を実施するための形態】
【００１９】
図１は、スライドシュー式仕分けコンベアにおいて物品が分岐される状態を示す斜視図であり、搬送装置１における搬送方向Ａに対し、仕分けコンベア１１側に搬送する際に、前記搬送方向Ａに向かって一定速度で移動するスラット３の連続体に対し、スラット３の軸方向、即ち前記搬送方向Ａに直角方向に向いた仕分方向Ｂに沿って移動するスライドシュー２が物品４の側面低部に当接しながら移動することで、前記仕分けコンベア１１側に分岐する状態を示している。
【００２０】
図２は、前記スライドシュー２が前記物品４に当接する状態を示す概念図であり、一般的に前記物品４の高さＨに比較し、前記スライドシュー２の高さｈは充分に小さく、前記物品４の重心Ｇの位置に対しても低い位置で当接することになる。
【００２１】
図３は、前記スライドシュー２の基本構造例を示し、押出し面２１がスライド方向の正面に位置する一つの面にある場合を示している。因みにこの形状場合は、図１に示す如く前記物品４が傾斜しながら仕分方向に移動するのではなく、複数の連続した前記スライドシュー２が同位置で移動することで前記物品４は傾斜せずに前記仕分方向に移動することになる。なお、ここではスライドシューが搬送方向と直角方向に移動する手段を有する構造の図示は省略している。
【００２２】
図４は、図３の形状の他に傾斜面を有する前記スライドシュー２の基本構造例で、図１で示す如く前記物品４が傾斜した状態で仕分方向に移動する場合に有効であり、図１に示す如く前記物品４が斜め押出し面２２に当接しながら仕分方向に移動し、複数の連続した前記スライドシュー２が前記傾斜角度に見合う間隔を保って移動することで前記物品４は傾斜しながら前記仕分方向に移動することになる。
【００２３】
図５Ａは、前記スラット３に跨る前記スライドシュー２が矢印方向に移動し、前記物品４に当接する前の状態を示している。
【００２４】
図５Ｂは、前記スライドシュー２と前記物品４が当接する際に発生する力関係を示し、前記物品４は前記スライドシュー２による押出し力Ｆを受け、重心Ｇの位置が前記スライドシュー２と前記物品４と当接する位置より高い位置にある場合は、前記重心Ｇに対して前記押出し力Ｆと逆方向の力が作用する。即ち、前記重心Ｇを回転中心とするモーメントＭ１の回転力が物品４に掛かることになる。ここで、前記物品４の高さＨが大きい場合や、水平奥行き方向の幅Ｌが小さい場合、および軽量の場合には一点鎖線で示す如くに回転する可能性があり、最悪は転倒することにも成り兼ねない。
【００２５】
図６は、本案構造の原理図であり、前記スライドシュー２の前記押出し面２３が前記物品４に当接する前に、前記スライドシュー２の前面低位置に構成する傾斜部２３によって予め前記物品４の当接する側において上方に変位する上向きの力Ｐを示す。ここに前記の力Ｐは、図５Ｂで記した前記モーメントＭ１を発生させる力と逆方向のモーメントＭ３を予め与える状態を示している。
【００２６】
図７は、図３で示す前記スライドシュー２に傾斜部２３を設けた構造概念図であり、図３での前記押出し面２１の上方部のみを残し、その下方には前記スライドシュー２の進行方向に凸状に傾斜部２３を設けている。因みに、前記傾斜部２３の底面部は前記スラット３の表面にほぼ接する状態で構成している。なお、ここではスライドシューが搬送方向と直角方向に移動する手段を有する構造の図示は省略している。
【００２７】
図８は、図４で示す前記スライドシュー２に傾斜部２３を設けた構造概念図であり、図４での前記押出し面２１並びに前記斜め押出し面２２の上方部を残し、その下方には前記スライドシュー２の進行方向および斜め進行方向に凸状に傾斜部２３を設けている。因みに、前記傾斜部２３の底面部は前記スラット３の表面にほぼ接する状態で構成している。なお、ここではスライドシューが搬送方向と直角方向に移動する手段を有する構造の図示は省略している。
【００２８】
図９Ａは、本案における前記スラット３に跨る前記スライドシュー２が矢印方向に移動し、前記物品４に当接する前の状態を示している。
【００２９】
図９Ｂは、本案における前記スライドシュー２と前記物品が当接する際に発生する力関係を示し、前記物品４は前記スライドシュー２による押出し力Ｆを直接受ける前に、前記傾斜部２３が物品に当接しつつ上方に変位する上向きの力Ｐを生じることで、前記重心Ｇを回転中心とするモーメントＭ３の回転力が物品４に掛かることを示している。即ち図５Ｂで記した前記モーメントＭ１とは逆方向のモーメントＭ３が予め生じることになる。
【００３０】
図９Ｃは、図９Ｂから更に前記スライドシュー２が矢印方向に移動し、前記スライドシュー２の垂直方向に構成する押出し面２１が前記物品４に当接する状態を示している。ここに、前記図５Ｂで示した前記重心Ｇを回転中心に生じるモーメントＭ１の回転力が発生するが、前記傾斜部２３が物品に当接する際に生じた上向きの力Ｐに起因する前記重心Ｇを回転中心とするモーメントＭ３の回転力が予め物品４に掛かっていたことを示している。即ち、予め付与されるモーメントＭ３と、後から付与されるモーメントＭ１は、それぞれ逆方向の回転力であるために合成される力はその差で示されることになるので、前記物品４に与えられる外力は軽減されることになる。
【００３１】
図１０Ａは、図５Ａ、図５Ｂで示した状態において生じるモーメントＭを縦軸に、時間Ｔを横軸に描いたものである。ここに、前記スライドシュー２が前記物品４に当接するまでの時間ｔ２においては、前記物品４に掛かる外力は発生しないが、前記スライドシュー２が前記物品４に当接した瞬間にＭ１のモーメントが生じることになる。Ｍ１のモーメントが外力として維持する時間ｔ３は殆ど瞬間的であり、動き始まると前記スラット３の表面と前記物品４の当接する表面間の動摩擦係数に依存する一定の力Ｍ２の負荷が掛かりながら移動する状態を示している。
【００３２】
図１０Ｂは、図９Ａ、図９Ｂ、図９Ｃで示した状態において生じるモーメントＭを縦軸に、時間Ｔを横軸に描いたものである。ここに、前記スライドシュー２が前記物品４に当接するまでの時間ｔ１においては、前記物品４に掛かる外力は発生しないが、前記スライドシュー２の傾斜部２３が前記物品４に当接し、前記物品４を上方向に向いた力が掛かることによってモーメントＭ３が発生し、その後に前記スライドシュー２の押出し面２１もしくは斜め押出し面２２に当接した瞬間に、逆向きのモーメントＭ１が生じることになる。ここに、Ｍ１のモーメントが外力として維持する時間ｔ３は殆ど瞬間的であり、動き始めると前記スラット３の表面と前記物品４の当接する表面間の動摩擦係数に依存する一定のモーメント力Ｍ２の負荷が掛かりながら移動することになる。また、各モーメントＭ１、Ｍ３、Ｍ４の関係は、Ｍ４＝Ｍ１＋（−Ｍ３）＝Ｍ１−Ｍ３の関係にある。換言すれば、図１０Ａに示したモーメントＭ１の大きさに対して、予め傾斜面２３を通過することによって生じるモーメントＭ３の力を減じたモーメントＭ４が前記物品４に掛かることを意味している。
【００３３】
図１１Ａは、前記スライドシュー２の前記傾斜部２３において、前記押出し面２１に前記物品が当接するまでの領域においてなだらかな窪みを有した傾斜構造例である。本形状によれば、前記スライドシュー２が一定速度で前記物品４に当接する際に、当接時の衝撃を極力抑えることが前記物品４に対する安定した仕分けになる。即ち、前記傾斜部２３の傾斜面を、前記物品４が当接する位置では浅い角度から始まり、前記押出し面２１に当接する位置に至るまで徐々に角度を大きくすることで衝撃力を抑えつつ、図９Ｃに示す前記上向きの力Ｐを所望の大きさで得るものである。
【００３４】
図１１Ｂは、前記スライドシュー２の前記傾斜部２３において、前記傾斜部２３が押出し面２１からＬ１の長さだけ離れた位置に最大凸部を有した構造例である。本形状によれば、前記スラッド３に搭載された前記物品４の先端底面部がＬ１の位置に到達した後は、前記スライドシュー２の移動速度が一定であれば、前記物４の高さ方向への変位は急峻になる。即ち、最後の段階で前記上向きの力Ｐを大きくする効果が得られる。
【００３５】
図１１Ｃは、前記スライドシュー２の前記押出し面２１において、前記押出し面２１の上方部が垂直面より前記傾斜部２３の傾斜角（α）程度に前記傾斜部２３側に寄った傾斜角（β）を有した傾斜面を持つ構造例である。本形状によれば、前記物品４が前記押出し面２１に当接した瞬間に、その上方部の傾斜面が物品４の表面に食い込む状態に当接するので、図９Ｃに示す前記モーメントＭ１に対する抵抗力になり、前記物品４の振れ幅を低減する効果が得られる。
【００３６】
図１２Ａは、前記スライドシュー２の前記傾斜部２３において、前記傾斜部２３の表面に突起傾斜部２４を有した構造例である。本構造によれば、ここでは図示しない前記物品４が前記傾斜部２３に当接し前記スライドシュー２の移動に従って前記傾斜部２３の上方に移行する際に、前記物品４と前記傾斜部２３との接触面に生じる摩擦力抵抗が低く、移行する方向と逆方向に対しては摩擦抵抗力が大きくなるようにしている。本図においては、前記物品４の進行方向に傾斜した鋭角的突起部を前記傾斜部２３の領域全体もしくは一部に有することで前記効果を得るための一例を示している。
【００３７】
図１２Ｂは、前記スライドシュー２の前記傾斜部２３の上方部を弾性体傾斜部２５で構成した構造例である。本構造によれば、ここでは図示しない前記物品４が前記傾斜部２３に当接し前記スライドシュー２の移動に従って前記傾斜部２３の上方に移行する際に、前記弾性体傾斜部２５の領域において前記物品４と前記傾斜部２３との接触面に生じる接触摩擦力が大きくなることで前記物品４の移動速度が減速され、押出し面２１に当接する瞬間の衝撃力を緩和する効果を得るための一例を示している。
【００３８】
ここに、前記傾斜部２３における傾斜量の緩和と衝撃力低減のための具体的形状を図１１Ａ乃至図１１Ｅに示したが、それらは単独で構成せずに複数の構造を組み合せてもそれらの効果が得られる。
【符号の説明】
【００３９】
１  立体搬送装置
１１  仕分けコンベア
２  スライドシュー
２１  押出し面
２２  斜め押出し面
２３  傾斜部
２４  突起傾斜部
２５  弾性体傾斜部
３  スラット
４  物品
Ｆ  スライドシューの押出し力
Ｇ  重心
Ｈ  高さ方向寸法
Ｌ  水平方向寸法
Ｍ  モーメント
Ｐ  すくい上げによる力
ｔ  時間
α、β  傾斜角
【図１】
2018144960.tif 000003
【図２】
2018144960.tif 000004
【図３】
2018144960.tif 000005
【図４】
2018144960.tif 000006
【図５Ａ】
2018144960.tif 000007
【図５Ｂ】
2018144960.tif 000008
【図６】
2018144960.tif 000009
【図７】
2018144960.tif 000010
【図８】
2018144960.tif 000011
【図９Ａ】
2018144960.tif 000012
【図９Ｂ】
2018144960.tif 000013
【図９Ｃ】
2018144960.tif 000014
【図１０Ａ】
2018144960.tif 000015
【図１０Ｂ】
2018144960.tif 000016
【図１１Ａ】
2018144960.tif 000017
【図１１Ｂ】
2018144960.tif 000018
【図１１Ｃ】
2018144960.tif 000019
【図１２Ａ】
2018144960.tif 000020
【図１２Ｂ】
2018144960.tif 000021